(57)【要約】【課題】保持物体のケーブルのためにより良好な支持を提供可能であるとともに保持物体を支持するための支持構造を強化可能なラックシステムのための接続アセンブリを提供すること。【解決手段】ラックシステムは保持物体、第１のケーブル管理アーム、第２のケーブル管理アーム及び支持ベースを含む。保持物体は一対のスライドレールアセンブリを通じてラックに取り付けられる。第１のケーブル管理アームはスライドレールアセンブリのうちの一方に取り外し可能に接続されている。第２のケーブル管理アームは第１のケーブル管理アームに枢結されている。第２のケーブル管理アームは保持物体に取り外し可能に接続されている。支持ベースは保持物体に取り付けられるとともに第１のケーブル管理アーム及び第２のケーブル管理アームのうちの少なくとも一方を支持するように構成されている。【選択図】図１
2019009410.tif 000002
【特許請求の範囲】
【請求項１】
ラックシステムであって、
第１の側及び第２の側を有するラックと、
前記ラックの第１の側に取り付けられる第１のスライドレールアセンブリであって、該第１のスライドレールアセンブリは少なくとも第１のレール及び第２のレールを含み、該第２のレールは該第１のレールに対して動かすことができる、第１のスライドレールアセンブリと、
前記ラックの第２の側に取り付けられる第２のスライドレールアセンブリであって、該第２のスライドレールアセンブリは少なくとも第３のレール及び第４のレールを含み、該第４のレールは該第３のレールに対して動かすことができる、第２のスライドレールアセンブリと、
前記第１のスライドレールアセンブリと前記第２のスライドレールアセンブリとの間に取り付けられる保持物体であって、該保持物体は、前記第１のスライドレールアセンブリの第２のレール及び前記第２のスライドレールアセンブリの第４のレールを通じて閉鎖位置と伸長位置との間で前記ラックに対して動かすことができる、保持物体と、
前記ラック、前記第１のスライドレールアセンブリの第１のレール及び前記第２のスライドレールアセンブリの第３のレールのうちの１つに取り外し可能に接続される第１のケーブル管理アームと、
前記第１のケーブル管理アームに枢結されるとともに、前記保持物体、前記第１のスライドレールアセンブリの第２のレール及び前記第２のスライドレールアセンブリの第４のレールのうちの１つに取り外し可能に接続される第２のケーブル管理アームと、
前記保持物体に取り付けられるとともに、前記第１のケーブル管理アーム及び前記第２のケーブル管理アームのうちの少なくとも一方を支持するように構成された支持ベースと、
を含むラックシステム。
【請求項２】
前記第１のスライドレールアセンブリの第１のレールと前記第２のスライドレールアセンブリの第３のレールとの間に取り外し可能に接続される連結部材をさらに含む、請求項１に記載のラックシステム。
【請求項３】
前記支持ベースは前記保持物体に固定取り付けされ、
前記支持ベースは第１の支持脚、第２の支持脚及び支持部を含み、
前記第１の支持脚は前記保持物体の側辺に固定取り付けされ、前記第２の支持脚は前記保持物体の上部と当接し、前記支持部と前記保持物体の上部との間に第１の支持高さが定義される、請求項１に記載のラックシステム。
【請求項４】
前記支持ベースは前記第２のケーブル管理アームが前記支持ベースから離れて偏向するのを防止するように構成されたブロック部を有する、請求項３に記載のラックシステム。
【請求項５】
前記第１のスライドレールアセンブリの第１のレール及び前記第２のスライドレールアセンブリの第３のレールのうちの一方に固定取り付けされる支持フレームをさらに含み、
前記支持フレームは前記第１のスライドレールアセンブリの第１のレール及び前記第２のスライドレールアセンブリの第３のレールのそれぞれの高さよりも大きい第２の支持高さを有する、請求項１に記載のラックシステム。
【請求項６】
前記第１のケーブル管理アームは第１の接続部材を備え、前記支持フレームは第１の対応部材を備え、前記第１の接続部材は前記第１の対応部材に取り外し可能に接続されるとともに前記第１のケーブル管理アームに可動に接続されている、請求項５に記載のラックシステム。
【請求項７】
前記第２のケーブル管理アームは第２の接続部材を備え、前記保持物体は第２の対応部材を備え、前記第２の接続部材は前記第２の対応部材に取り外し可能に接続されるとともに前記第２のケーブル管理アームに可動に接続されている、請求項１に記載のラックシステム。
【請求項８】
ラックシステムであって、
第１の側及び第２の側を有するラックと、
前記ラックの第１の側に取り付けられる第１のスライドレールアセンブリであって、該第１のスライドレールアセンブリは少なくとも第１のレール及び第２のレールを含み、該第２のレールは該第１のレールに対して動かすことができる、第１のスライドレールアセンブリと、
前記ラックの第２の側に取り付けられる第２のスライドレールアセンブリであって、該第２のスライドレールアセンブリは少なくとも第３のレール及び第４のレールを含み、該第４のレールは該第３のレールに対して動かすことができる、第２のスライドレールアセンブリと、
前記第１のスライドレールアセンブリと前記第２のスライドレールアセンブリとの間に取り付けられる保持物体であって、該保持物体は、前記第１のスライドレールアセンブリの第２のレール及び前記第２のスライドレールアセンブリの第４のレールを通じて閉鎖位置と伸長位置との間で前記ラックに対して動かすことができる、保持物体と、
前記ラック、前記第１のスライドレールアセンブリの第１のレール及び前記第２のスライドレールアセンブリの第３のレールのうちの１つに取り外し可能に接続される第１のケーブル管理アームと、
前記第１のケーブル管理アームに可動に  枢結されるとともに、前記保持物体、前記第１のスライドレールアセンブリの第２のレール及び前記第２のスライドレールアセンブリの第４のレールのうちの１つに取り外し可能に接続される第２のケーブル管理アームと、
前記第１のスライドレールアセンブリの第１のレールと前記第２のスライドレールアセンブリの第３のレールとの間に取り外し可能に接続される連結部材と、
を含むラックシステム。
【請求項９】
ラックシステムのための接続アセンブリであって、
少なくとも第１のレール及び第２のレールを含み、該第２のレールは該第１のレールに対して動かすことができる、第１のスライドレールアセンブリと、
少なくとも第３のレール及び第４のレールを含み、該第４のレールは該第３のレールに対して動かすことができる、第２のスライドレールアセンブリと、
前記第１のスライドレールアセンブリの第１のレールと前記第２のスライドレールアセンブリの第３のレールとの間に接続される連結部材と、
前記第１のスライドレールアセンブリの第１のレール及び前記第２のスライドレールアセンブリの第３のレールのうちの一方に取り外し可能に接続される第１のケーブル管理アームと、
前記第１のケーブル管理アームに枢結される第２のケーブル管理アームと、
を含む連結アセンブリ。
【請求項１０】
保持物体に取り付けられる支持ベースをさらに含み、
前記保持物体は前記第１のスライドレールアセンブリと前記第２のスライドレールアセンブリとの間に取り付けられ、前記支持ベースは前記第１のケーブル管理アーム及び前記第２のケーブル管理アームのうちの少なくとも一方を支持するように構成されている、請求項９に記載の連結アセンブリ。
【発明の詳細な説明】
【技術分野】
【０００１】
本発明は接続アセンブリ（connecting  assembly）に関し、より具体的にはラックシステムのための接続アセンブリに関する。
【背景技術】
【０００２】
ラックシステムはサーバーが取り付けられるラックである。一般に、サーバーの２つの対向する側のそれぞれにスライドレールアセンブリが設けられ、サーバーをラックから引き出すこと又はラック内に押し込むことができるようにスライドレールアセンブリを通じてサーバーをラックに取り付けることができる。一般に、サーバーは電気ケーブルに接続されている。スライドレールアセンブリを通じてサーバーをラックから引き出すか又はラック内に押し込む場合、ケーブルを整った状態で保持及び管理するのにケーブル管理アームが必要となる。特許文献１、特許文献２及び特許文献３には関連するデザインが開示されている。これらの特許文献を参考のために記載する。
【先行技術文献】
【特許文献】
【０００３】
【特許文献１】米国特許第６６００６６５号明細書
【特許文献２】米国特許第８１８６６３４号明細書
【特許文献３】米国特許第９１４４１７４号明細書
【発明の概要】
【発明が解決しようとする課題】
【０００４】
しかしながら、サーバーの容量が大きい場合、サーバーにはより多くのケーブルが必要になり、ケーブルの重さがケーブル管理アームの重量制限を超過することがある。他方、重量超過の保持物体はスライドレールアセンブリに過度な負荷を与え得る。
【０００５】
本発明の目的は、ラックに取り付けられる保持物体のケーブルのためにより良好な支持を提供可能なラックシステムのための接続アセンブリを提供することである。
【０００６】
本発明の別の目的は、ラックに取り付けられる保持物体を支持するための支持構造を強化可能なラックシステムのための接続アセンブリを提供することである。
【課題を解決するための手段】
【０００７】
本発明の一実施形態によれば、ラックシステムはラック、第１のスライドレールアセンブリ、第２のスライドレールアセンブリ、保持物体、第１のケーブル管理アーム、第２のケーブル管理アーム及び支持ベースを含む。ラックは第１の側及び第２の側を有する。第１のスライドレールアセンブリはラックの第１の側に取り付けられる。第１のスライドレールアセンブリは少なくとも第１のレール及び第２のレールを含み、第２のレールは第１のレールに対して動かすことができる。第２のスライドレールアセンブリはラックの第２の側に取り付けられる。第２のスライドレールアセンブリは少なくとも第３のレール及び第４のレールを含み、第４のレールは第３のレールに対して動かすことができる。保持物体は第１のスライドレールアセンブリと第２のスライドレールアセンブリとの間に取り付けられる。保持物体は、第１のスライドレールアセンブリの第２のレール及び第２のスライドレールアセンブリの第４のレールを通じて閉鎖位置（closed  position）と伸長位置（extension  position）との間でラックに対して動かすことができる。第１のケーブル管理アームはラック、第１のスライドレールアセンブリの第１のレール及び第２のスライドレールアセンブリの第３のレールのうちの１つに取り外し可能に接続される。第２のケーブル管理アームは第１のケーブル管理アームに枢結されるとともに、保持物体、第１のスライドレールアセンブリの第２のレール及び第２のスライドレールアセンブリの第４のレールのうちの１つに取り外し可能に接続される。支持ベースは保持物体に取り付けられるとともに、第１のケーブル管理アーム及び第２のケーブル管理アームのうちの少なくとも一方を支持するように構成されている。
【０００８】
本発明の別の実施形態によれば、ラックシステムはラック、第１のスライドレールアセンブリ、第２のスライドレールアセンブリ、保持物体、第１のケーブル管理アーム、第２のケーブル管理アーム及び連結部材を含む。ラックは第１の側及び第２の側を有する。第１のスライドレールアセンブリはラックの第１の側に取り付けられる。第１のスライドレールアセンブリは少なくとも第１のレール及び第２のレールを含み、第２のレールは第１のレールに対して動かすことができる。第２のスライドレールアセンブリはラックの第２の側に取り付けられる。第２のスライドレールアセンブリは少なくとも第３のレール及び第４のレールを含み、第４のレールは第３のレールに対して動かすことができる。保持物体は第１のスライドレールアセンブリと第２のスライドレールアセンブリとの間に取り付けられる。保持物体は、第１のスライドレールアセンブリの第２のレール及び第２のスライドレールアセンブリの第４のレールを通じて閉鎖位置と伸長位置との間でラックに対して動かすことができる。第１のケーブル管理アームはラック、第１のスライドレールアセンブリの第１のレール及び第２のスライドレールアセンブリの第３のレールのうちの１つに取り外し可能に接続される。第２のケーブル管理アームは第１のケーブル管理アームに枢結されるとともに、保持物体、第１のスライドレールアセンブリの第２のレール及び第２のスライドレールアセンブリの第４のレールのうちの１つに取り外し可能に接続される。
連結部材は第１のスライドレールアセンブリの第１のレールと第２のスライドレールアセンブリの第３のレールとの間に取り外し可能に接続される。
【０００９】
本発明の別の実施形態によれば、ラックシステムのための接続アセンブリは第１のスライドレールアセンブリ、第２のスライドレールアセンブリ、連結部材、第１のケーブル管理アーム及び第２のケーブル管理アームを含む。第１のスライドレールアセンブリは少なくとも第１のレール及び第２のレールを含み、第２のレールは第１のレールに対して動かすことができる。第２のスライドレールアセンブリは少なくとも第３のレール及び第４のレールを含み、第４のレールは第３のレールに対して動かすことができる。連結部材は第１のスライドレールアセンブリの第１のレールと第２のスライドレールアセンブリの第３のレールとの間に接続される。第１のケーブル管理アームは第１のスライドレールアセンブリの第１のレール及び第２のスライドレールアセンブリの第３のレールのうちの一方に取り外し可能に接続される。第２のケーブル管理アームは第１のケーブル管理アームに枢結される。
【００１０】
様々な図面に図示する下記の好ましい実施形態の詳細な説明を読み終えた後、本発明の上記の目的及び他の目的が当業者に間違いなく明らかになる。
【図面の簡単な説明】
【００１１】
【図１】図１は、本発明の一実施形態に係るラックシステムを示す図であり、保持物体は閉位置に位置している。
【図２】図２は、本発明の一実施形態に係るラックシステムの部分分解図である。
【図３】図３は、本発明の一実施形態に係るラックシステムの背面図である。
【図４】図４は、本発明の一実施形態に係るラックシステムの側面図である。
【図５】図５は、ラックに対して引き出されて閉位置から第１の位置に動かされた保持物体を示す図である。
【図６】図６は、図５の領域Ａの拡大図である。
【図７】図７は、ラックに対して引き出されて閉位置から第２の位置に動かされた保持物体を示す図である。
【発明を実施するための形態】
【００１２】
図１〜図４は本発明の一実施形態に係るラックシステムを示す図である。ラックシステムはラック２０、第１のスライドレールアセンブリ２４、第２のスライドレールアセンブリ３０、保持物体３６及び第１のケーブル管理アーム３８を含む。ラック２０は第１の側２２ａ及び第２の側２２ｂを有する。第１のスライドレールアセンブリ２４はラック２０の第１の側２２ａに取り付けられている。第１のスライドレールアセンブリ２４は少なくとも第１のレール２６及び第２のレール２８を含み、第２のレール２８は第１のレール２６に対して動かすことができる。第１のスライドレールアセンブリ２４は、第１のレール２６に対する第２のレール２８の移動距離を延ばすために第１のレール２６と第２のレール２８との間に可動に接続された第１の中間レール２７をさらに含むことが好ましい。第２のスライドレールアセンブリ３０はラック２０の第２の側２２ｂに取り付けられている。第２のスライドレールアセンブリ３０の構成は第１のスライドレールアセンブリ２４の構成と同一であり得る。第２のスライドレールアセンブリ３０は少なくとも第３のレール３２及び第４のレール３４を含み、第４のレール３４は第３のレール３２に対して動かすことができる。第２のスライドレールアセンブリ３０は、第３のレール３２に対する第４のレール３４の移動距離を延ばすために第３のレール３２と第４のレール３４との間に可動に接続された第２の中間レール３３をさらに含むことが好ましい。保持物体３６はハードディスク、パワーディストリビューションユニット及び／又は他の電子部品を含むことができる。保持物体３６は第１のスライドレールアセンブリ２４と第２のスライドレールアセンブリ３０との間に取り付けられる。保持物体３６は、第１のスライドレールアセンブリ２４の第２のレール２８及び第２のスライドレールアセンブリ３０の第４のレール３４を通じて（例えば、保持物体３６の前部Ｐ０がラック２０の前方ポストに隣接する）閉鎖位置と伸長位置（図５及び図７を参照）との間でラック２０に対して動かすことができる。第1のケーブル管理アーム３８は、ラック２０、第１のスライドレールアセンブリ２４の第１のレール２６及び第２のスライドレールアセンブリ３０の第３のレール３２のうちの１つに取り外し可能に接続されている。本実施形態では、第１のケーブル管理アーム３８は支持フレーム４０を通じて第１のスライドレールアセンブリ２４の第１のレール２６にて取り外し可能に接続されているが、本発明はこの構成に限定されない。第１のケーブル管理アーム３８は他の固定物体に接続することができる。
【００１３】
ラックシステムは第１のケーブル管理アーム３８に枢結された第２のケーブル管理アーム４２をさらに含むことが好ましい。第２のケーブル管理アーム４２をさらに含むことにより、第１のケーブル管理アーム３８及び第２のケーブル管理アーム４２を（例えば図５及び図７に示すように）広げるか又は（図１に示すように）折り畳むことができる。第２のケーブル管理アーム４２は保持物体３６、第１のスライドレールアセンブリ２４の第２のレール２８及び第２のスライドレールアセンブリ３０の第４のレール３４のうちの１つに取り外し可能に接続されている。本実施形態では、第２のケーブル管理アーム４２は保持物体３６に取り外し可能に接続されているが、本発明はこの構成に限定されない。第２のケーブル管理アーム４２は第１のスライドレールアセンブリ２４の第２のレール２８又は第２のスライドレールアセンブリ３０の第４のレール３４等の前述した他の可動な物体に接続できる。
【００１４】
ラックシステムは、保持物体３６に取り付けられる支持ベース４４をさらに含むことが好ましい。支持ベース４４は、第１のケーブル管理アーム３８及び第２のケーブル管理アーム４２のうちの一方を支持するように構成されるか（例えば、保持物体３６が図５及び図７に示すように伸長位置に位置している場合、支持ベース４４は第２のケーブル管理アーム４２を支持するように構成されている）又は第１のケーブル管理アーム３８及び第２のケーブル管理アーム４２の双方を支持するように構成されている（例えば、保持物体３６が図１に示すように閉鎖位置に位置している場合、支持ベース４４は第１のケーブル管理アーム３８及び第２のケーブル管理アーム４２の双方を支持するように構成されている）。
【００１５】
支持ベース４４は保持物体３６に固定取り付けされていることが好ましい。支持ベース４４は第１の支持脚４６ａ、第２の支持脚４６ｂ及び支持部４８を有する。第１の支持脚４６ａは保持物体３６の側部に固定取り付けされ、第２の支持脚４６ｂは、保持物体３６の上側で板部材と当接し、支持部４８と保持物体３６の上側との間に第１の支持高さｈ１が定義される（図３を参照）。
【００１６】
図６に示すように、支持ベース４４は、第２のケーブル管理アーム４２が不適切な位置に偏向される（支持ベース４４によって支持されずに支持ベース４４から離れた位置に偏向される等）のを防止するように構成されたブロック部５０を有することが好ましい。
【００１７】
ラックシステムは、スライドレールアセンブリの支持能力を高めるために第１のスライドレールアセンブリ２４の第１のレール２６と第２のスライドレールアセンブリ３０の第３のレール３２との間に取り外し可能に接続された連結部材５２をさらに含むことが好ましい。本実施形態では、本発明の接続アセンブリは第１のスライドレールアセンブリ２４、第２のスライドレールアセンブリ３０、連結部材５２、第１のケーブル管理アーム３８、第２のケーブル管理アーム４２及び支持ベース４４を含む。
【００１８】
支持フレーム４０は第１のスライドレールアセンブリ２４の第１のレール２６及び第２のスライドレールアセンブリ３０の第３のレール３２の一方に固定取り付けされていることが好ましい。本実施形態では、支持フレーム４０は第１のスライドレールアセンブリ２４の第１のレール２６に固定取り付けされているが、本発明はこの構成に限定されない。加えて、図４に示すように、支持フレーム４０は、第１のスライドレールアセンブリ２４の第１のレール２６の高さｈ３よりも大きい第２の支持高さｈ２を有する。
【００１９】
図２に示すように、第１のケーブル管理アーム３８は第１の接続部材５４を備えることが好ましい。支持フレーム４０は第１の対応部材５６を備える。第１の接続部材５４は第１の対応部材５６に取り外し可能に接続されている。第１の接続部材５４は第１のケーブル管理アーム３８に可動に接続されていることが好ましい。
【００２０】
図２に示すように、第２のケーブル管理アーム４２は第２の接続部材５８を備えることが好ましい。他方、第２の対応部材６０は保持物体３６に固定取り付けされている。第２の接続部材５８は第２の対応部材６０に取り外し可能に接続されている。第２の接続部材５８は第２のケーブル管理アーム４２に可動に接続されていることが好ましい。
【００２１】
図５〜図７に示すように、保持物体３６をラック２０に対して引き出して（図１に示す）閉鎖位置から（例えば、図５に示すように保持物体３６の中間部Ｐ１がラック２０の前方ポストに隣接するか又は図７に示すように保持物体３６の後部Ｐ２がラック２０の前方ポストに隣接する）伸長位置に第１の方向Ｄ１に沿って動かすプロセスの間、支持ベース４４は、ラック２０に対する保持物体３６の動きに影響を与える第１のケーブル管理アーム３８及び第２のケーブル管理アーム４２が下方に傾くのを防止するために、第１のケーブル管理アーム３８及び第２のケーブル管理アーム４２の一方を支持するように構成されている。他方、連結部材５２は第１のスライドレールアセンブリ２４の第１のレール２６と第２のスライドレールアセンブリ３０の第３のレール３２の間に取り外し可能に接続されているため、スライドレールアセンブリの全体的な支持構造を強化することができ、スライドレールアセンブリの変形を生じさせることなく重量超過の保持物体を確実に支持することができる。
【００２２】
したがって、本発明のラックシステムは以下のように特徴付けることができる。
【００２３】
１）ラックに取り付けられる保持物体のケーブルをより確実に支持することができる。
【００２４】
２）ラックで保持物体を支持するための支持構造を強化することができる。
【００２５】
当業者であれば、本発明の教示を維持しながら多くの変更及び改良が装置及び方法に加えられ得ることに容易に気付く。従って、上記の開示は、添付の請求項の範囲によってのみ限定されると解釈すべきである。
【符号の説明】
【００２６】
２０  ラック
２２ａ  第１の側
２２ｂ  第２の側
２４  第１のスライドレールアセンブリ
２６  第１のレール
２８  第２のレール
３０  第２のスライドレールアセンブリ
３２  第３のレール
３４  第４のレール
３６  保持物体
３８  第１のケーブル管理アーム
４０  支持フレーム
４２  第２のケーブル管理アーム
４６ａ  第１の支持脚
４６ｂ  第２の支持脚
４８  支持部
５０  ブロック部
５２  連結部材
５４  第１の接続部材
５６  第１の対応部材
５８  第２の接続部材
６０  第２の対応部材
【図１】
2019009410.tif 000003
【図２】
2019009410.tif 000004
【図３】
2019009410.tif 000005
【図４】
2019009410.tif 000006
【図５】
2019009410.tif 000007
【図６】
2019009410.tif 000008
【図７】
2019009410.tif 000009